(57)【特許請求の範囲】
【請求項１】
ハウジングの上面に沿って便器の内部に対して進退自在の移動駆動部と、
該移動駆動部の上部に設けられ洗浄水が供給される導入口とを有するノズル本体と、
前記導入口と接続され、前記移動駆動部より下方の前記ハウジングに係止される略Ｕ字状の２本のフレキシブル流体管とを具備し、
前記２本のフレキシブル流体管は並設され、前記ハウジングに対し管路ホルダを介して隣り合う状態で取り付けられ、
並設された前記フレキシブル流体管の変曲点は、前記ノズル本体の進退に伴い追従移動すると共に、前記フレキシブル流体管は途中部位にて、前記ハウジングに係止され、略Ｓ字状となっていることを特徴とする人体局部洗浄装置。
【請求項２】
前記フレキシブル流体管は、前記管路ホルダに対して垂直に取り付けられていることを特徴とする請求項１に記載の人体局部洗浄装置。
【請求項３】
前記フレキシブル流体管は、前記移動駆動部の進退方向に沿って端部が前記移動駆動部の側部に設けられた前記導入口に接続されていることを特徴とする請求項１に記載の人体局部洗浄装置。
【発明の詳細な説明】
【技術分野】
【０００１】
本発明は、水洗便器に設置される人体局部洗浄装置に関し、特に、洗浄水を噴出する機構のコンパクト化可能な人体局部洗浄装置に関するものである。
【背景技術】
【０００２】
一般に、この種の人体局部洗浄装置の人体局部に洗浄水を噴射して洗浄するノズル本体は、その後部上に設けた給水部に接続した柔軟で、かつ、弾性力を有するフレキシブル流体管を、ノズル本体の突出側よりノズル支持台に途中を沿わせて導出してから、一端部を給水部に導く構成にすることにより、ノズル支持台へのノズル本体の収納時において、フレキシブル流体管の上方への膨らみを抑え装置のコンパクト化を図っている。
【０００３】
具体的には、従来の人体局部洗浄装置として特許文献１の発明がある。即ち、先端に洗浄水の噴出孔、後部上に給水部及び前記給水部より前記噴出孔に通じる通水路を有するノズル本体と、ノズル本体を出入自在に収納するノズル支持台と、洗浄時にノズル支持台よりノズル本体を突出させるノズル駆動手段と、ノズル本体の給水部に接続し、洗浄水を供給する柔軟で、かつ、弾性力を有するフレキシブル流体管とを備え、前記フレキシブル流体管はノズル本体の突出側よりノズル支持台に途中を沿わせて導出し、一端部を給水部に導く構成にしたものである。
この種の構成によって、ノズル本体のフレキシブル流体管は突出側より導出され、その途中はノズル本体が出入自在に支持されたノズル支持台に沿い、それから一端部がノズル本体の後部上の給水部に接続されるので、前記途中から給水部に至るフレキシブル流体管の上方への膨らみ部分を抑えることができる技術が開示されている。
【特許文献１】特開２００３−２９３４３０
【発明の開示】
【発明が解決しようとする課題】
【０００４】
ところで、上記特許文献１では、フレキシブル流体管がノズル本体の上部において曲設配置されているから、ノズル本体の進退に伴いフレキシブル流体管に複雑なストレスが入ってうねり運動を起こし、ノズル本体とその上部のハウジングのケースとの間に大きな空間が必要となり、現実的には、コンパクト化が図れないという問題がある。
【０００５】
そこで、この発明はかかる不具合を解決するためになされたもので、フレキシブル流体管の占有空間を極力小さくでき、ノズル本体の上部の高さを抑制した人体局部洗浄装置の提供を課題とするものである。
【課題を解決するための手段】
【０００６】
請求項１にかかる人体局部洗浄装置は、ハウジングの上面に沿って便器の内部に対して進退自在の移動駆動部と、該移動駆動部に配設されたノズル本体と、該ノズル本体に洗浄水を供給する前記移動駆動部側に設けられた導入口と接続され、前記移動駆動部より下方の前記ハウジングに係止される略Ｕ字状の２本のフレキシブル流体管とを具備し、２本の前記フレキシブル流体管は並設され、前記ハウジングに対し管路ホルダを介して隣り合う状態で取り付けられ、並設された前記フレキシブル流体管の変曲点は、前記ノズル本体の進退に伴い追従移動するようにし、しかも、前記フレキシブル流体管は途中部位にて、前記ハウジングに係止され、略Ｓ字状となっているものである。
【０００８】
請求項２にかかる人体局部洗浄装置の前記フレキシブル流体管は、該管路ホルダに対して垂直に取り付けられている構成とすると良い。
請求項３にかかる人体局部洗浄装置の前記フレキシブル流体管は、前記移動駆動部の進退方向に沿って端部が前記移動駆動部の側部に設けられた前記導入口に接続されている構成とすると良い。
【発明の効果】
【０００９】
本発明によれば、ハウジングから伸縮移動自在とした移動駆動部及び前記移動駆動部の下部に配設した噴射口及び上部に配設した洗浄水の導入口とを有するノズル本体と、一端が前記ノズル本体の導入口に接続され、かつ、他の部分が前記ハウジングに対して取り付けられ、前記ノズル本体の導入口に洗浄水を供給するフレキシブル流体管とを具備し、前記フレキシブル流体管は、一端を前記ノズル本体が移動するハウジング上面に沿った平面方向に設けた前記ノズル本体の導入口に接続し、前記ノズル本体の移動するハウジング上面に沿った平面以下にフレキシブル流体管が位置するものであり、しかも、前記ノズル本体の移動するハウジング上面に沿った平面より下部で前記ハウジングに固定することで二次元的または三次元的に略Ｕ字状に配設しているから、前記ノズル本体の上部に前記フレキシブル流体管が移動する可能性は全くなく、ハウジングを覆うケーシング内部に接触移動したり、衝突することがない。また、二次元的または三次元的に略Ｕ字状に湾曲させているから、前記ノズル本体の移動に伴ってその変曲点が特定の部分に止まることなく移動し、特定の位置のみにストレスが入ることがないので、寿命を長くすることができる。
また、フレキシブル流体管は、略Ｓ字状とすれば、２階の繰り返しの変曲により、変曲箇所が２箇所となり、前記ノズル本体の移動に伴って移動する変曲点は、分散されるから、特定の位置のみにストレスが入ることがないので寿命を長くすることができる。
【００１１】
請求項２の発明によれば、前記フレキシブル流体管は、該管路ホルダに対して垂直に取り付けられている構成とすると、部分的に見れば、複数の略Ｕ字状を維持している。しかし、２本の流体管が垂直になるようにした取り付けは、２本の流体管が垂直を中心に左右に彎曲自在とするものであるから、変曲が全体的となり、分散された変曲となるから、特定の位置のみにストレスが入ることがないので寿命を長くすることができる。
また、請求項３のフレキシブル流体管は、前記移動駆動部の進退方向に沿って端部が前記移動駆動部の側部に設けられた前記導入口に接続されているから、特定の位置のみにストレスが入ることがないので寿命を長くすることができる。
【発明を実施するための最良の形態】
【００１２】
以下、本発明の実施の形態について、図面に基づいて説明する。
図１は本発明の実施の形態１における人体局部洗浄装置の全体斜視図、図２は本発明の実施の形態１における人体局部洗浄装置の右側面図、図３は本発明の実施の形態１における人体局部洗浄装置の左側面図、図４は図２の矢印Ａ方向から見たＡ矢視図、図５は本発明の実施の形態１における人体局部洗浄装置のノズル本体を下方向に移動させた状態の右側面図、図６は本発明の実施の形態１における人体局部洗浄装置のシャワー用ノズル本体の右側面図（ａ）、平面図（ｂ）、左側面図（ｃ）、底面図（ｄ）、上面図（ｅ）、下面図（ｆ）である。図７は本発明の実施の形態１における人体局部洗浄装置のシャワー用ノズル本体の平面図（ｂ）の切断線Ｙ−Ｙによる拡大断面図、そして、図８は本発明の実施の形態１における人体局部洗浄装置のビデ用ノズル本体の右側面図（ａ）、平面図（ｂ）、左側面図（ｃ）、底面図（ｄ）、上面図（ｅ）、下面図（ｆ）である。図９は本発明の実施の形態１における人体局部洗浄装置のビデ用ノズル本体の平面図（ｂ）の切断線Ｚ−Ｚによる拡大断面図である。
【００１３】
まず、図１、図２、図４乃至図７を用いて、人体局部洗浄装置としてのシャワー用ノズル側について説明する。
図１、図２、図４乃至図７において、ハウジング２は本実施の形態１にかかる人体局部洗浄装置１０の骨子となるもので、各種の部品を取り付けられる合成樹脂またはアルミニウムで形成されている。シャワー用モータ１１は、１個以上のギアを介してシャワー用ノズル本体２０を移動させるピニオン１２を正回転または逆回転させ、そのピニオン１２と噛み合うラック２１によってシャワー用ノズル本体２０を上下方向（その長さ方向）にスライド移動させるものである。即ち、ハウジング２には、シャワー用ノズル本体２０がスライド移動する長さ方向に案内する図示しない案内溝が形成され、シャワー用ノズル本体２０はそれに噛み合っている。シャワー用ノズル本体２０はその図示しない案内溝に沿って直線運動を行うことになる。このシャワー用ノズル本体２０は、上下の対向する平行面からなる２面を直線平面とし、その下方の面にラック２１を形成している。このラック２１は、シャワー用ノズル本体２０を上下方向にスライド移動する範囲以上に形成されている。このように、シャワー用ノズル本体２０にラック２１を配設した範囲は、ピニオン１２を正回転または逆回転させることによって、シャワー用ノズル本体２０を移動させる移動駆動部２２を形成している。
【００１４】
シャワー用ノズル本体２０の内部には、流体管４２が設けられることにより、シャワー用ノズル本体２０の内部には、第１通路２０ａと第２通路２０ｂが画成される。第１通路２０ａ（第２通路２０ｂ）の基端側は、ポート２５ａ（２５ｂ）、ホース４１ａ（４１ｂ）を介して、流量調整弁を兼ねる水路切換弁９０の吐出ポート（図示略）に連結されている。しかして、水路切換弁９０の入力ポート９０ａに圧送された温水は、図示されない制御機構に指示されたシャワー洗浄態様に応じて、ホース４１ａのみ（ホース４１ａ及び４１ｂ）並びにポート２５ａのみ（ポート２５ａ及び２５ｂ）を介して、第１通路２０ａのみ（第１通路２０ａ及び第２通路２０ｂ）に導入された後、噴射ロ３６とラップする噴射ガイドロ３７から臀部に向けて噴射される。温水の圧力、流量及び通過通路を変更することにより、洗浄面積や噴出高さを変更できるようになっている。
【００１５】
また、移動駆動部２２は、本実施の形態においては、シャワー用ノズル本体２０の認識しやすさにより平行面からなる２面を直線平面としているが、本発明を実施する場合には、少なくとも一面、即ち、下方向の面を平面とし、その平面を用いてラック２１を形成するものであればよい。勿論、この平面は、歯と歯の間の歯底面のみを平面とするものであってもよい。したがって、移動駆動部２２は、ラック２１と噛み合い、回転自在に固定されたピニオン１２の回転によってハウジング２から進退する伸縮移動自在となる。
【００１６】
シャワー用ノズル本体２０の移動駆動部２２の下側には、移動駆動部２２の径よりも小さい径で、かつ、その外周を円筒状に形成した小径部２６を有している。また、小径部２６の外周の下端付近には、Ｏリング２７が配設されている。そして、小径部２６の中央部より移動駆動部２２寄りには、略円柱状で１〜３ｍｍ程度の高さの係合片２８が配設されている。この係合片２８は、円柱形状に限定されるものではなく、面取りした多角柱であってもよい。何れにせよ、機械的強度を高くした構造とする必要がある。
【００１７】
そして、シャワー用ノズル本体２０の小径部２６には、小径部２６を覆うように装着されるノズルカバー３０を有している。ノズルカバー３０は、Ｏリング２７と弾接する内径を有し、シャワー用ノズル本体２０の長さ方向に挿入するとき、小径部２６に配設した係合片２８を所定の位置までガイドする長さ方向案内スリット３１及び長さ方向案内スリット３１から連続して回転方向に所定の幅に形成され、小径部２６に配設した係合片２８の幅以下の溝を部分的に形成してなる回転方向案内スリット３２とを有する案内スリット３３を有している。
【００１８】
また、使用状態で長さ方向案内スリット３１から回転方向案内スリット３２へと回動したときに、係合片２８との間で、スナップ動作による係合を行い、回転方向案内スリット３２は係合片２８と係合するものである。ノズルカバー３０の回転角度は、本実施の形態では、シャワー用ノズル本体２０の上面も平面とした外形としているから、シャワー用ノズル本体２０の移動駆動部２２の外周形状とノズルカバー３０の外周形状が一致したとき、即ち、長さ方向の直角断面が略円形であるから、シャワー用ノズル本体２０の上平面が移動駆動部２２とノズルカバー３０の上平面が一致したとき、係合位置となり、これは、視覚的でも確認できるし、手触りでも確認できる。
【００１９】
本実施の形態の流体管４２は、図７に示すように、移動駆動部２２を通過して、移動駆動部２２の下端にある小径部２６から突出し、ノズルカバー３０の内部に装着されている噴射ガイド３５に接続されている。噴射ガイド３５には噴射口３６が配設されていて、流体管４２の洗浄水は噴射ガイド３５の噴射口３６から噴射される。なお、噴射口３６にはノズルカバー３０の噴射ガイド口３７が位置し、噴射口３６以外の位置を覆っている。
したがって、ノズルカバー３０が汚れる可能性があるが、ノズルカバー３０を取り外して洗浄することにより、常にノズルカバー３０を清潔に維持することができる。
【００２０】
このように、本実施の形態における人体局部洗浄装置１０のシャワー用ノズル本体２０は、一面を平面とし、その平面にラック２１を形成し、ラック２１と噛み合う回転自在に固定されたピニオン１２の回転によって、ハウジング２から伸縮移動自在とした移動駆動部２２と、移動駆動部２２の先端に移動駆動部２２の径よりも小径に形成し、その外周を円筒に形成した小径部２６と、小径部２６に配設した係合片２８とを有するものである。また、ハウジング２から伸縮移動自在とする移動駆動部２２及び移動駆動部２２の下側に配設した噴射口３６及び上側に配設した洗浄水の導入口２５ａ，２５ｂを有するものである。
【００２１】
シャワー用ノズル本体２０の移動駆動部２２の上側の２個の導入口２５ａ，２５ｂは、
シャワー用ノズル本体２０の移動方向に対して平行するように延びだしている。この２個の導入口２５ａ，２５ｂは、水平面に対するシャワー用ノズル本体２０の移動する中心の軸線が形成する角度θの角度で形成する仮想平面、即ち、ハウジング２の上面に沿った平面に平行して２個の導入口２５ａ，２５ｂを設けている。２個の導入口２５ａ，２５ｂに接続する２本の流体管４１の接続部分は、当然、２個の導入口２５ａ，２５ｂに沿って２本のフレキシブル流体管４１を挿着するものであるから、シャワー用ノズル本体２０の移動する中心の軸線が形成する角度θの角度で形成するハウジング２の上面に沿った平面に平行する取り付け状態となる。
なお、本発明を実施する場合の、このときのハウジング２上面に沿った平面に平行する取り付け状態とは、シャワー用ノズル本体２０の長さ方向に平行することを意味するものではなく、平面的にみて、シャワー用ノズル本体２０の長さ方向に特定の角度開いていてもよいし、直角であってもよい。側面から見てシャワー用ノズル本体２０の移動する中心の軸線に平行するか、それ以下の角度になっておればよい。
【００２２】
２本の流体管４１は、その上端が２個の導入口２５ａ，２５ｂに取り付けられているが、その反対側は、略Ｕ字状に彎曲させて導入口２５ａ，２５ｂの下方にある比較的柔軟性に富む材料からなる管路ホルダ３に取り付けている。本実施の形態では、通常のシャワー用ノズル本体２０の導入口２５ａ，２５ｂの高さに対して、管路ホルダ３の取り付け高さｈがｈ≒Ｈ／２の高さとしている。また、管路ホルダ３の取り付けは、２本の流体管４１が垂直になるように取り付けている。管路ホルダ３の取り付けを行った２本の流体管４１の他端は、水路切換弁９０に略Ｓ字状を描いて接続されている。即ち、部分的に見れば、複数の略Ｕ字状を維持している。そして、２本の流体管４１が垂直になるようにした取り付けは、２本の流体管４１が垂直を中心に左右に彎曲自在とするものであるが、本発明を実施する場合には、２本の流体管４１の長さによっては、略Ｕ字状側の変曲点ａまたは変曲点ｂ側に傾けた取り付けとすることもできる。
【００２３】
シャワー用ノズル本体２０の格納状態では、２本の流体管４１の変曲点ａは略Ｕ字状の変曲点である図示の位置にある。しかし、図５のように、シャワー用ノズル本体２０が下方向に移動し、流体管４２の洗浄水が噴射ガイド３５の噴射口３６から噴射されるときの動作状態では、２本の流体管４１の変曲点は、取り付けを行った管路ホルダ３側の変曲点ｂ側に移動する。このとき、２本の流体管４１の変曲点ａ及び変曲点ｂは略Ｕ字状の変曲点となるが、何れのシャワー用ノズル本体２０の状態でも、平面または垂直面のような二次元的または立体的な三次元的に略Ｕ字状を維持している。
【００２４】
このフレキシブルな２本の流体管４１は、一端をシャワー用ノズル本体２０が移動するハウジング２上面に沿った平面方向に設けたシャワー用ノズル本体２０の導入口２５ａ，２５ｂに接続し、シャワー用ノズル本体２０の移動するハウジング２上面に沿った平面より下部位置でハウジング２に固定することで平面または垂直面のような二次元的または立体的な三次元的に略Ｕ字状に配設したものであり、しかも、シャワー用ノズル本体２０の移動に伴って特定の部分に止まることなく変曲点ａ乃至変曲点ｂの範囲で移動するようにしたものである。
【００２５】
したがって、シャワー用ノズル本体２０の移動するハウジング２上面に沿った平面より下部位置でハウジング２に固定することで二次元的または三次元的に略Ｕ字状に配設したものであるから、フレキシブルな２本の流体管４１がシャワー用ノズル本体２０の移動するハウジング２上面に沿った平面より上方向のケーシング１の内面に衝突したり、摺動移動したりする可能性を排除できる。また、シャワー用ノズル本体２０の上下移動に伴って特定の部分に止まることなく変曲点ａ乃至変曲点ｂの範囲で移動するものであるから、特定の位置のみに集中してストレスが加わることなく、分散して外力が加わることになり、流体管４１の寿命を長くすることができる。
ここで、ケーシング１は、ハウジング２、シャワー用ノズル本体２０、２本の流体管４１は勿論、後述するビデ用ノズル本体６０、流体管５４等のハウジング２に取り付けられた構成部品全体を覆うもので、実施例によっては、他の構成部品が格納される場合もあり得る。
【００２６】
ここで、本実施の形態における人体局部洗浄装置１０は、ハウジング２から伸縮移動自在とする移動駆動部２２及び移動駆動部２２の下側に配設した噴射口３６及び上側に配設した洗浄水の導入口２５ａ，２５ｂを有するシャワー用ノズル本体２０と、一端がシャワー用ノズル本体２０の導入口２５ａ，２５ｂに接続され、かつ、他の部分がハウジング２に対して固定され、シャワー用ノズル本体２０の導入口２５ａ，２５ｂに洗浄水を供給するフレキシブル流体管４１とを具備し、フレキシブル流体管４１は、一端をシャワー用ノズル本体２０が移動するハウジング２上面に沿った平面方向に設けたシャワー用ノズル本体２０の導入口２５ａ，２５ｂに接続し、シャワー用ノズル本体２０の移動するハウジング２上面に沿った平面より下部でハウジング２に固定することで二次元的または三次元的に略Ｕ字状に配設し、シャワー用ノズル本体２０の移動に伴って特定の部分に止まることなく変曲点が移動するようにしたものである。
【００２７】
また、上記実施の形態における人体局部洗浄装置１０のシャワー用ノズル本体２０においては、移動駆動部２２の上部に２個の導入口２５ａ，２５ｂを配設するものであるものの、本発明を実施する場合、移動駆動部２２の範囲が明確でないが、本実施の形態のラック２１が形成されている下端より上であればよい。即ち、シャワー用ノズル本体２０の移動駆動部２２にフレキシブル流体管４１を載置することもできることから、移動駆動部２２の上部とは移動駆動部２２の上端を云うものではなく、移動駆動部２２の下側に配設した噴射口３６及びその噴射口３６の上側に配設した洗浄水の導入口２５ａ，２５ｂを意味するものである。
【００２８】
本実施の形態における人体局部洗浄装置１０によれば、ハウジング２から伸縮移動自在とした移動駆動部２２及び移動駆動部２２の下部に配設した噴射口３６及び噴射口３６の上部に配設した洗浄水の導入口２５ａ，２５ｂとを有するシャワー用ノズル本体２０と、一端がシャワー用ノズル本体２０の導入口２５ａ，２５ｂに接続され、かつ、他の部分がハウジング２に対して固定され、シャワー用ノズル本体２０の導入口２５ａ，２５ｂに洗浄水を供給するフレキシブル流体管４１とを具備し、フレキシブル流体管４１は、一端をシャワー用ノズル本体２０が移動するハウジング２上面に沿った平面方向に設けたシャワー用ノズル本体２０の導入口２５ａ，２５ｂに接続し、シャワー用ノズル本体２０の移動するハウジング２上面に沿った平面以下にフレキシブル流体管４１が位置するものであり、しかも、シャワー用ノズル本体２０の移動するハウジング２上面に沿った平面より下部でハウジング２に固定することで二次元的または三次元的に略Ｕ字状に配設しているから、シャワー用ノズル本体２０の上部のケーシング１の内面にフレキシブル流体管４１が移動する可能性は全くなく、また、二次元的または三次元的に略Ｕ字状に湾曲させているから、シャワー用ノズル本体２０の移動に伴ってその変曲点が特定の部分に止まることなく移動するから、特定の位置のみにストレスが入ることがないので、寿命を長くすることができる。
【００２９】
また、シャワー用ノズル本体２０の小径部２６以外は、少なくとも一面を平面とし、そこにラック２１が形成されているから、シャワー用ノズル本体２０は回転自在にハウジング２に固定されたピニオン１２の回転によって、ハウジング２から伸縮移動自在となる。このシャワー用ノズル本体２０の移動駆動部２２の先端は、移動駆動部２２の径よりも小径に形成し、その外周を円筒状に形成した小径部２６となっている。シャワー用ノズル本体２０の小径部２６を覆うように装着されるノズルカバー３０は、シャワー用ノズル本体２０の長さ方向に挿入するとき、内径がＯリング２７と弾接し、長さ方向案内スリット３１が小径部２６に配設した係合片２８を所定の位置までガイドする。その後、長さ方向案内スリット３１から連続して形成された回転方向案内スリット３２に係合片２８を導き、更に回動すると、スナップ動作を行い係合片２８との係合を行う。このとき、スナップ動作によってノズルカバー３０は、シャワー用ノズル本体２０の小径部２６の係合片２８との係合を行うことにより、手の感覚として両者がロックされたことを認識できる。また、シャワー用ノズル本体２０の小径部２６の係合片２８の位置とノズルカバー３０のスナップ動作後の回転方向案内スリット３２の位置とが結合した位置は、スナップ動作が完了した係合状態にあるから、その位置を視覚的に確認することによって、シャワー用ノズル本体２０とノズルカバー３０の係合を認識することもできる。そして、ノズルカバー３０はシャワー用ノズル本体２０の少なくとも一面を平面とした外形と同様の連続形状となり、目視によって認識できる。
【００３０】
次に、図１、図３、図４、図８及び図９を用いて、人体局部洗浄装置としてのビデ用ノズル側について説明する。
図１、図３、図４、図８及び図９において、ビデ用モータ５１はビデ用ノズル本体６０を移動させるピニオン５２を回転させ、ピニオン５２と噛み合うラック６１によってビデ用ノズル本体６０を上下方向に移動させるものである。ビデ用モータ５１は、１個以上のギアを介してビデ用ノズル本体６０を移動させるピニオン５２を正回転または逆回転させ、そのピニオン５２と噛み合うラック６１によってビデ用ノズル本体６０を上下方向にスライド移動させるものである。このビデ用ノズル本体６０は、上下の対向する平行面からなる２面を直線平面とし、その下方の面にラック６１を形成している。このラック６１は、ビデ用ノズル本体６０を上下方向にスライド移動する範囲以上に形成されている。このように、ビデ用ノズル本体６０にラック６１を配設した範囲は、ピニオン５２を正回転または逆回転させることによって、ビデ用ノズル本体６０を移動させる移動駆動部６２を形成している。
【００３１】
ビデ用ノズル本体６０は、ビデとしてはソフトな噴流が好まれることから上記シャワー用ノズル本体２０のように、格別、流体抵抗を低くする必要がないので、１本の流体管５４が接続され、ビデ用ノズル本体６０の移動駆動部６２の上端に接続端部６５を介して接続されている。即ち、ビデ用ノズル本体６０には、ラック６１を配設した移動駆動部６２の上部に１個の導入口５５を配設し、更に、導入口５５に１本の流体管５４を接続し、水路切換弁９０からビデ用ノズル本体６０までの洗浄水の通路としている。フレキシブル流体管５４が接続された移動駆動部６２の上端に配設され接続端部６５は、本実施の形態においては、直接移動駆動部６２の内部を介して洗浄水を供給する流路を形成している。
【００３２】
また、移動駆動部６２は、本実施の形態においては、ビデ用ノズル本体６０の認識しやすさにより平行面からなる２面を直線平面としているが、少なくとも一面、即ち、下方向の面を平面とし、その平面にラック６１を形成するものであればよい。勿論、この平面は、歯と歯の間の歯底面のみを平面とするものであってもよい。したがって、移動駆動部６２は、ラック６１と噛み合い、回転自在に固定されたピニオン５２の回転によってハウジング２から進退する伸縮移動自在となっている。
【００３３】
ビデ用ノズル本体６０の移動駆動部６２の下端には、移動駆動部６２の径よりも小さい径で、かつ、その外周を円筒状に形成した小径部６６を有している。小径部６６の外周の下端付近には、Ｏリング６７が配設されている。そして、小径部６６の中央部より移動駆動部６２寄りには、略円柱状で１〜３ｍｍ程度の高さの係合片６８が配設されている。この係合片６８は、円柱形状に限定されるものではなく、面取りした多角柱であってもよい。何れにせよ、機械的強度を高くした構造とする必要がある。何れも、シャワー用ノズル本体２０の構成と同様である。
【００３４】
ビデ用ノズル本体６０の小径部６６には、小径部６６を覆うように装着されるノズルカバー７０を有している。ノズルカバー７０は、Ｏリング６７と弾接する内径を有し、ビデ用ノズル本体６０の長さ方向に挿入するとき、小径部６６に配設した係合片６８を所定の位置までガイドする長さ方向案内スリット７１及び長さ方向案内スリット７１から連続して回転方向に所定の幅に形成され、小径部６６に配設した係合片６８の幅以下の溝を部分的に形成してなる回転方向案内スリット７２とを有する案内スリット７３を有している。
【００３５】
また、小径部６６にノズルカバー７０を挿入し、長さ方向案内スリット７１から回転方向案内スリット７２へと回動したときに、回転方向案内スリット７２と係合片６８との間で、スナップ動作による係合を行い、回転方向案内スリット７２は係合片６８と係合状態となる。ノズルカバー７０の回転角度は、本実施の形態では、ビデ用ノズル本体６０の上面も平面とした外形としているから、ビデ用ノズル本体６０の移動駆動部６２の外周形状とノズルカバー７０の外周形状が一致したとき、即ち、長さ方向の直角断面が略円形であるから、ビデ用ノズル本体６０の上平面が移動駆動部６２とノズルカバー７０の上平面が一致したとき、係合位置となり、これは、視覚的でも確認できるし、手触りでも確認できる。また、ビデ用ノズル本体６０の小径部６６の係合片６８の位置とノズルカバー７０のスナップ動作後の回転方向案内スリット７２の位置とが結合した位置は、スナップ動作が完了した係合状態にあるから、その位置を視覚的に確認することによって、ビデ用ノズル本体６０とノズルカバー７０の係合を認識することもできる。
【００３６】
このように接続されることによって、移動駆動部６２の内部を通過する洗浄水は、移動駆動部６２の下端にある小径部６６に接続されたノズルカバー７０の内部に導かれ、ノズルカバー７０に形成されている複数の噴射口７６から噴射される。
【００３７】
ここで、ビデ用ノズル本体６０の移動駆動部６２の上側の１個の導入口５５は、ビデ用ノズル本体６０の移動方向に対して平行するように延びだしている。この導入口５５は、水平面に対するビデ用ノズル本体６０の移動する中心の軸線が形成する角度θの角度で形成するハウジング２上面に沿った平面に平行して１個の導入口５５を設けている。１個の導入口５５に接続する１本の流体管５４の接続部分は、当然、１個の導入口５５に沿って１本のフレキシブル流体管５４を挿着するものであるから、ビデ用ノズル本体６０の移動する中心の軸線が形成する角度θの角度で形成するハウジング２上面に沿った平面に平行する取り付け状態となる。
【００３８】
流体管５４は、その上端が導入口５５に取り付けられているが、螺旋状に彎曲させて導入口５５の下方にある管路ガイド４に案内されている。管路ガイド４に案内されているとは、螺旋状に巻回しているフレキシブル流体管５４の一部が、管路ガイド４から離れないようにしている。本実施の形態では、フレキシブル流体管５４の他端は、水路切換弁９０に接続されている。即ち、部分的に見れば、複数の略Ｕ字状を維持している。
【００３９】
ビデ用ノズル本体６０の格納状態では、流体管５４の変曲点は螺旋状の径の変化として変化する。しかし、図４のように、ビデ用ノズル本体６０が下方向に移動し、流体管５４の洗浄水が噴噴射口７６から噴射されるときの動作状態では、流体管５４の変曲点は、取り付けを行った管路ガイド４に規制されてその径が変化し、流体管５４の全体が変曲点となるが、ビデ用ノズル本体６０の何れの状態でも、二次元的または三次元的に略Ｕ字状を維持している。
【００４０】
このとき、フレキシブル流体管５４は、一端をビデ用ノズル本体６０が移動するハウジング２上面に沿った平面方向に設けたビデ用ノズル本体６０の導入口５５に接続し、ビデ用ノズル本体６０の移動するハウジング２上面に沿った平面より下部位置でハウジング２の管路ガイド４に取り付けることで二次元的または三次元的に略Ｕ字状に配設したものであり、しかも、ビデ用ノズル本体６０の移動に伴って特定の部分に止まることなく変曲点が移動するようにしたものである。
【００４１】
したがって、ビデ用ノズル本体６０の移動するハウジング２上面に沿った平面より下部位置でハウジング２に固定することで二次元的または三次元的に略Ｕ字状に配設したものであるから、フレキシブル流体管５４がビデ用ノズル本体６０の移動するハウジング２上面に沿った平面より上方向に移動し、ケーシング１の内面に衝突したり摺動移動したりする可能性を排除できる。また、ビデ用ノズル本体６０の移動に伴って特定の部分に止まることなく変曲点が変化するものであるから、特定の部分に集中してストレスが加わることなく、分散して外力が加わることになり、流体管５４の寿命を長くすることができる。
【００４２】
ここで、本実施の形態における人体局部洗浄装置１０は、ハウジング２から伸縮移動自在とする移動駆動部６２及び移動駆動部６２の下側に配設した噴射口７６及び上側に配設した洗浄水の導入口５５を有するビデ用ノズル本体６０と、一端がビデ用ノズル本体６０の導入口５５に接続され、かつ、他の部分がハウジング２に対して固定され、ビデ用ノズル本体６０の導入口５５に洗浄水を供給するフレキシブル流体管５４とを具備し、フレキシブル流体管５４は、一端をビデ用ノズル本体６０が移動するハウジング２上面に沿った平面方向に設けたビデ用ノズル本体６０の導入口５５に接続し、ビデ用ノズル本体６０の移動するハウジング２上面に沿った平面より下部で水路切換弁９０に固定することで二次元的または三次元的に略Ｕ字状に配設し、ビデ用ノズル本体６０の移動に伴って特定の部分に止まることなく変曲点が移動するようにしたものである。
【００４３】
なお、本実施の形態における人体局部洗浄装置１０は、フレキシブル流体管５４の一端を水路切換弁９０に接続したものであるが、本発明を実施する場合には、ポンプ用モータ９１によって駆動されているものに限定されるものではなく、特定の圧力で洗浄水が送られてくるものにも適用されるものである。
【００４４】
本実施の形態における人体局部洗浄装置１０によれば、ハウジング２から伸縮移動自在とした移動駆動部６２及び移動駆動部６２の下部に配設した噴射口７６及びその噴射口７６の上部に配設した洗浄水の導入口５５とを有するビデ用ノズル本体６０と、一端がビデ用ノズル本体６０の導入口５５に接続され、かつ、他の部分がハウジング２に対して取り付けられ、ビデ用ノズル本体６０の導入口５５に洗浄水を供給するフレキシブル流体管５４とを具備し、フレキシブル流体管５４は、一端をビデ用ノズル本体６０が移動するハウジング２上面に沿った平面方向に設けたビデ用ノズル本体６０の導入口５５に接続し、ビデ用ノズル本体６０の移動するハウジング２上面に沿った平面以下にフレキシブル流体管５４が位置するものであり、しかも、ビデ用ノズル本体６０の移動するハウジング２上面に沿った平面より下部でハウジング２に固定することで二次元的または三次元的に略Ｕ字状に配設しているから、ビデ用ノズル本体６０の上部にフレキシブル流体管５４が移動する可能性は全くなく、また、二次元的または三次元的に略Ｕ字状に湾曲させているから、ビデ用ノズル本体６０の移動に伴ってその変曲点が特定の部分に止まることなく移動するから、特定の位置のみにストレスが入ることがないので、寿命を長くすることができる。
【００４５】
ビデ用ノズル本体６０の小径部６６以外は、少なくとも一面を平面とし、そこにラック６１が形成されているから、ビデ用ノズル本体６０は回転自在にハウジング２に固定されたピニオン５２の回転によって、ハウジング２から伸縮移動自在となる。このビデ用ノズル本体６０の移動駆動部６２の先端は、移動駆動部６２の径よりも小径に形成し、その外周を円筒に形成した小径部６６となっている。ビデ用ノズル本体６０の小径部６６を覆うように装着されるノズルカバー７０は、ビデ用ノズル本体６０の長さ方向に挿入するとき、内径がＯリング６７と弾接し、長さ方向案内スリット７１が小径部６６に配設した係合片６８を所定の位置までガイドする。その後、長さ方向案内スリット７１から連続して形成された回転方向案内スリット７２に係合片６８を導き、更に回動すると、スナップ動作を行い係合片６８との係合を行う。このとき、スナップ動作によってノズルカバー７０は、ビデ用ノズル本体６０の小径部６６の係合片６８との係合を行うことにより、手の感覚として両者がロックされたことを認識できる。また、ノズルカバー７０はビデ用ノズル本体６０の少なくとも一面を平面とした外形と同様の連続形状となり、目視によって認識できる。
【００４６】
上記実施の形態における人体局部洗浄装置１０においては、シャワー用ノズルとビデ用ノズルに適用する場合について説明したが、本発明を実施する場合には、シャワー用ノズルとビデ用ノズルの何れの形態にも適用することができる。
【００４７】
上記シャワー用ノズルとビデ用ノズルの実施の形態における人体局部洗浄装置においては、一端がシャワー用ノズル本体２０またはビデ用ノズル本体６０からなるノズル本体の導入口２５ａ，２５ｂ，５５に接続され、かつ、他の部分がハウジング２に対して取り付けられる取り付けの構成として、シャワー用ノズル本体２０では比較的柔軟性に富む材料からなる管路ホルダ３に取り付ける場合またはビデ用ノズル本体６０ではフレキシブル流体管５４を管路ガイド４に取り付ける場合について説明した。本発明を実施する場合には、シャワー用ノズル本体２０のように比較的柔軟性に富む材料からなる管路ホルダ３に取り付ける場合には、完全な固定と異なり、フレキシブル流体管５４に与えるストレスが少なくて済む。また、ビデ用ノズル本体６０のようにフレキシブル流体管５４を管路ガイド４に取り付ける場合には、格別、流体管５４にストレスが入るものではないが、水路切換弁９０の取り付け部分にストレスが入らない構成であればよい。
【００４８】
また、上記実施の形態における人体局部洗浄装置１０のシャワー用ノズル本体２０においては、移動駆動部２２の上部に２個の導入口２５ａ，２５ｂを配設しており、ビデ用ノズル本体６０においては、移動駆動部６２の上部に１個の導入口５５を配設しているが、本発明を実施する場合は、導入口２５ａ，２５ｂ，５５の個数に左右されるものではなく、１以上の導入口を有しておればよい。同様に、フレキシブル流体管４１，５４についても、個数に左右されるものではなく、１以上の導入口に対応するものであればよい。
【００４９】
ここで、シャワー用ノズル本体２０は移動駆動部２２の上部に２個の導入口２５ａ，２５ｂ、またはビデ用ノズル本体６０は移動駆動部６２の上部に１個の導入口５５を配設しているが、本発明を実施する場合の導入口２５ａ，２５ｂ、５５は、その噴射口２６または噴射口７６の上側に配設されればよく、移動駆動部２２または移動駆動部６２のように内部に間を入れたり、直接洗浄水を流したりする形態に特定されるものではない。
【００５０】
そして、上記実施の形態における人体局部洗浄装置のビデ用ノズル本体６０においては、移動駆動部６２の上部に１個の導入口５５を配設するものであるが、本発明を実施する場合、移動駆動部６２の範囲が明確でないが、ラック６１が形成されている下端より上であればよい。即ち、ビデ用ノズル本体６０の移動駆動部６２にフレキシブル流体管５４を載置することもできることから、移動駆動部６２の上部とは上端を云うものではなく、移動駆動部６２の下側に配設した噴射口７６及びその噴射口７６の上側に配設した洗浄水の導入口を意味するものである。
【００５１】
即ち、本件発明の実施の形態における人体局部洗浄装置１０は、ハウジング２から伸縮移動自在とする移動駆動部２２，６２及び移動駆動部２２，６２の下側に配設した噴射口３６，７６及びその噴射口３６，７６の上側に配設した洗浄水の導入口２５ａ，２５ｂ，５５を有するシャワー用ノズル本体２０またはビデ用ノズル本体６０からなるノズル本体と、一端がシャワー用ノズル本体２０またはビデ用ノズル本体６０からなるノズル本体の導入口２５ａ，２５ｂ，５５に接続され、かつ、他の部分がハウジング２に対して取り付けられ、シャワー用ノズル本体２０またはビデ用ノズル本体６０からなるノズル本体の導入口２５ａ，２５ｂ，５５に洗浄水を供給するフレキシブル流体管４１，５４とを具備し、フレキシブル流体管４１，５４は、一端をシャワー用ノズル本体２０またはビデ用ノズル本体６０からなるノズル本体が移動するハウジング２上面に沿った平面方向に設けたシャワー用ノズル本体２０またはビデ用ノズル本体６０の導入口５５に接続し、シャワー用ノズル本体２０またはビデ用ノズル本体６０の移動するハウジング２上面に沿った平面より下部でハウジング２に取り付けることで二次元的または三次元的に略Ｕ字状に配設し、シャワー用ノズル本体２０またはビデ用ノズル本体６０からなるノズル本体の移動に伴って特定の部分に止まることなく変曲点が移動するようにしたものである。
【００５２】
上記実施の形態における人体局部洗浄装置においては、ハウジング２から伸縮移動自在とした移動駆動部２２，６２及び移動駆動部２２，６２の下部に配設した噴射口３６，７６及び上部に配設した洗浄水の導入口２５ａ，２５ｂ，５５とを有するシャワー用ノズル本体２０またはビデ用ノズル本体６０からなるノズル本体と、一端がシャワー用ノズル本体２０またはビデ用ノズル本体６０からなるノズル本体の導入口２５ａ，２５ｂ，５５に接続され、かつ、他の部分がハウジング２に対して取り付けられ、シャワー用ノズル本体２０またはビデ用ノズル本体６０の導入口２５ａ，２５ｂ，５５に洗浄水を供給するフレキシブル流体管４１，５４とを具備し、前記フレキシブル流体管４１，５４は、一端をシャワー用ノズル本体２０またはビデ用ノズル本体６０からなるノズル本体が移動するハウジング２上面に沿った平面方向に設けたシャワー用ノズル本体２０またはビデ用ノズル本体６０からなるノズル本体の導入口２５ａ，２５ｂ，５５に接続し、シャワー用ノズル本体２０またはビデ用ノズル本体６０からなるノズル本体の移動するハウジング２上面に沿った平面以下にフレキシブル流体管４１，５４が位置するものであり、しかも、シャワー用ノズル本体２０またはビデ用ノズル本体６０からなるノズル本体の移動するハウジング２上面に沿った平面より下部でハウジング２に固定することで二次元的または三次元的に略Ｕ字状に配設しているから、シャワー用ノズル本体２０またはビデ用ノズル本体６０からなるノズル本体の上部にフレキシブル流体管４１，５４が移動する可能性は全くなく、また、二次元的または三次元的に略Ｕ字状に湾曲させているから、シャワー用ノズル本体２０またはビデ用ノズル本体６０からなるノズル本体の移動に伴ってその変曲点が特定の部分に止まることなく移動するから、特定の位置のみにストレスが入ることがないので、寿命を長くすることができる。
【００５３】
上記シャワー用ノズル本体２０で説明した人体局部洗浄装置１０は、二次元的または三次元的に略Ｕ字状に配設したフレキシブル流体管４１，５４として、２回の繰り返しの変曲により、略Ｓ字状としたものであるから、変曲箇所が２箇所となり、シャワー用ノズル本体２０またはビデ用ノズル本体６０からなるノズル本体の移動に伴って移動する変曲点は、分散されるから、特定の位置のみにストレスが入ることがないので寿命を長くすることができる。
【００５４】
上記ビデ用ノズル本体６０で説明した人体局部洗浄装置１０は、前記二次元的または三次元的に略Ｕ字状に配設したフレキシブル流体管４１，５４として、２回の繰り返しの変曲により、略螺旋状としたものであるから、変曲が全体的となり、分散された変曲となるから、特定の位置のみにストレスが入ることがないので寿命を長くすることができる。
【図面の簡単な説明】
【００５５】
【図１】図１は本発明の実施の形態１における人体局部洗浄装置の全体斜視図である。
【図２】図２は本発明の実施の形態１における人体局部洗浄装置の右側面図である。
【図３】図３は本発明の実施の形態１における人体局部洗浄装置の左側面図である。
【図４】図４は図２の矢印Ａ方向から見たＡ矢視図である。
【図５】図５は本発明の実施の形態１における人体局部洗浄装置のノズル本体を下方向に移動させた状態の右側面図である。
【図６】図６は本発明の実施の形態１における人体局部洗浄装置のシャワー用ノズル本体の右側面図（ａ）、平面図（ｂ）、左側面図（ｃ）、底面図（ｄ）、上面図（ｅ）、下面図（ｆ）である。
【図７】図７は本発明の実施の形態１における人体局部洗浄装置のシャワー用ノズル本体の平面図（ｂ）の切断線Ｙ−Ｙによる拡大断面図である。
【図８】図９は本発明の実施の形態１における人体局部洗浄装置のビデ用ノズル本体の右側面図（ａ）、平面図（ｂ）、左側面図（ｃ）、底面図（ｄ）、上面図（ｅ）、下面図（ｆ）である。
【図９】図１０は本発明の実施の形態１における人体局部洗浄装置のビデ用ノズル本体の平面図（ｂ）の切断線Ｚ−Ｚによる拡大断面図である。
【符号の説明】
【００５６】
１    ケーシング
２    ハウジング
３    管路ホルダ
１０    人体局部洗浄装置
１１    シャワー用モータ
２０    シャワー用ノズル本体
２２，６２    移動駆動部
３０，７０    ノズルカバー
５１    ビデ用モータ
６０    ビデ用ノズル本体
２５ａ，２５ｂ，５５    導入口
４１ａ，４１ｂ，５４    フレキシブル流体管
【図１】
0005181151.tif 000002
【図２】
0005181151.tif 000003
【図３】
0005181151.tif 000004
【図４】
0005181151.tif 000005
【図５】
0005181151.tif 000006
【図６】
0005181151.tif 000007
【図７】
0005181151.tif 000008
【図８】
0005181151.tif 000009
【図９】
0005181151.tif 000010